(57)【要約】【課題】キャップのキャップ内液保持体から本体の液保持体への塗布液の移行を十分にできるようにして、長時間の安定した筆記或いは塗布、及び長期間に渡る安定した使用ができるペン型塗布具を提供。【解決手段】本体と、塗布芯と、本体内に設けられ、塗布液を保持しうる柱状の第一液保持体と、塗布芯の塗布部を覆うキャップと、キャップ内に設けられ塗布芯の塗布部と接触しうる柱状の第二液保持体と、からなるペン型塗布具において、上記第一液保持体の外周面に隙間を形成させ、上記本体との該隙間が第一液保持体の両端間を結ぶ空気路となると共に、該空気路が塗布芯の筆記部の周囲に形成される空気路口と連通し、また上記第二液保持体の外周面に隙間を形成させて、上記キャップとの該隙間が第二液保持体の両端間を結ぶ空気路となると共に、上記キャップで塗布芯を被せた状態で該空気路が上記本体の空気路口と連通しうることを特徴とするものである。【選択図】　　　図１
2004009381.tif 000002
【特許請求の範囲】
【請求項１】
塗布具の本体と、塗布部を本体の先端から突き出させて設けられる塗布芯と、塗布芯の基部に接触すると共に、筆記用或いは化粧用の塗布液を保持しうる柱状の第一液保持体と、塗布芯の塗布部を被装するキャップと、キャップで塗布部を被装した状態でその塗布部と接触しうる柱状の第二液保持体と、からなるペン型塗布具において、
上記第一液保持体の外周面に隙間を形成させ、上記本体との該隙間が第一液保持体の両端間を結ぶ空気路となると共に、該空気路が塗布部の周囲に形成される本体の空気路口と連通し、
また上記第二液保持体の外周面に隙間を形成させて、上記キャップとの該隙間が第二液保持体の両端間を結ぶ空気路となると共に、上記キャップで塗布部を被装した状態で該空気路が上記本体の空気路口と連通しうることを特徴とするペン型塗布具。
【請求項２】
上記塗布芯、第一液保持体、及び第二液保持体の毛細管力の大きさが、第二液保持体≦第一液保持体＜塗布芯の関係を満たすことを特徴とする請求項１記載のペン型塗布具。
【請求項３】
上記第一液保持体及び第二液保持体における塗布液の保持量が第一液保持体＜第二液保持体の関係を満たすことを特徴とする請求項１又は２記載のペン型塗布具。
【請求項４】
上記塗布液は顔料分散液であり、且つ本体軸線上に並んだ第二液保持体から最も離れた第一液保持体の端部と、第一液保持部から最も離れた第二液保持体の端部との間の略中間部に、上記塗布芯の先端が位置することを特徴とする請求項１乃至３のいずれかに記載のペン型塗布具。
【発明の詳細な説明】
【０００１】
【発明の属する技術分野】
本発明は、筆記用及び化粧用のペン型塗布具に関するものであり、より詳細には、インク等を塗布液とするペン式プロッタ、ペンコーダー、或いは筆記等に用いられる筆記具、及びアイライナー液等を塗布具とする化粧用のペン型塗布具に関するものである。
【０００２】
【従来の技術】
一般に、筆記具及びペン（又は筆）型の化粧具（ペン型塗布具）は繊維を単純に棒状或いは柱状にまとめた中綿（液保持体）を具備している。また、ペン芯（塗布芯）のほこりの付着、ペン芯の乾燥対策、カビ雑菌に対する塗布液の抗菌効果の向上、または顔料沈降分離対策等のためにキャップを設けて、そのキャップ内の中綿（キャップ内の液保持体）を配し、それに塗布液を含浸させ、ペン芯をキャップ内の中綿に接触させているものもある。
【０００３】
例えば、特開昭６０−１５９０１９９号公報の添付図面（図２、及び図４）には、キャップのキャップ内に中心孔を形成した中綿が記載或いは描画してある。また、実開昭６０−１３２３７２号公報には、インク補充装置として、本体内部の中綿よりもインク保持力が弱い中綿をキャップ内部に設けて、本体内部のインクが消費され筆記性が悪くなった場合に、そのキャップ内部の中綿のインクをペン芯を介して本体内の中綿にスムースに供給するものが提案されている。更に、特開昭６２−２７８０９８号公報及び特開平２−１１１３０３号公報等にも、キャップ内に中綿を設けたものがある。
【０００４】
しかしながら、特開昭６０−１５９０１９９号公報に記載される中綿ではその外周面、端面がキャップ内面に密着しているため、ペン芯近傍の中綿の充填インクはペン芯にスムースに供給されるが、キャップ内壁側に保持されている充填インクは空気置換が出来ずペン芯にスムースに供給されない。また、キャップ内の中綿の中央には中心孔が形成されているが、これはインクの空気置換路として作用しない。
【０００５】
また、実開昭６０−１３２３７２号公報に記載されるインク補充装置には、ペン芯が毛細管力でキャップ内の中綿のインクを吸い上げた場合、インクと置換するための空気が中綿の口元側の端面付近のみで留まり、ペン芯と離れたキャップ内壁面付近や、挿入した奥端部まで空気置換が十分にされない。このため、キャップ内の中綿のインクが十分に本体内の中綿に移行しない場合が出てくる。
更に、特開昭６２−２７８０９８号公報及び特開平２−１１１３０３号公報等に記載されるキャップ内の中綿にあってもインク或いは化粧液等が十分に本体内の中綿に移行することが期待できない。
【０００６】
【発明が解決しようとする課題】
上述のように従来のキャップ内の中綿にあっては、その内壁面に嵌着されており、その中綿の端面とキャップ内面とも完全に密着しているため、その中綿に保持されている塗布液がペン芯を経由して毛細間力でペン芯や本体内の中綿に供給される量はわずに過ぎない。キャップ内の中綿からの塗布液が本体内の中綿に十分に移行しないときには、ペン型塗布具には次のような課題が生じてくる。
製品の新品時においては、筆記時に被筆記面への塗布流量が十分であるが、使用するに従い本体内の中綿での塗布液が減少し、被筆記面への流量が減少する。また、化粧品のように塗布液の出を初期に多くすると、皮膚表面のシワなどにより、にじみが発生するため、初期の流量を抑える必要があるが、その後、長期間の塗布流量を一定にすることが難しく、塗布流量も減少し、キャップを外している場合に、ペン芯が乾燥しやすくなる。このため、長時間の安定した筆記或いは塗布、及び長期間に渡る安定使用が期待通りに得られない。
【０００７】
従って、本発明は、キャップ内の液保持体（中綿等）から本体の液保持体（中綿等）への塗布液の移行を十分にできるようにして、長時間の安定した筆記或いは塗布、及び長期間に渡る安定した使用ができるペン型塗布具を提供することを課題とするものである。
【０００８】
【課題を解決するための手段】
本発明者は、棒状或いは柱状（主に円柱状）の本体内に設けられる第一液保持体及びキャップ内に設けられる第二保持体の外周面の軸方向に隙間を設けて空気路（又は通気路）を積極的に形成させて、これらを本体に形成されている一般的な空気路口と通じさせることによって、塗布芯と接触している近傍以外の離れた場所での各保持体の塗布液と空気との置換がスムースに生じることから、キャップ内の液保持体（中綿等）から本体の液保持体（中綿等）への塗布液の移行を十分にできることを見出し、本発明に至ったものである。
【０００９】
即ち、本発明に係るペン型塗布具は、以下の構成或いは手段からなることを特徴とし、上記課題を解決するものである。
本発明に係るペン型塗布具は、筆記具だけでなく、化粧具にも適用されるものである。ペン型塗布具は、本体と、塗布部を本体の先端から突き出させて設けられる塗布芯（ペン芯又は筆芯）と、塗布芯の基部に接触すると共に、筆記用或いは化粧用の塗布液を保持しうる柱状の第一液保持体と、塗布芯の塗布部を被装するキャップと、キャップで被装した状態でその塗布部と接触しうる柱状の第二液保持体とからなる。
【００１０】
そして、本発明に係るペン型塗布具の特徴とするところは、第一液保持体の外周面に隙間を積極的に形成させ、その本体との隙間を第一液保持体の両端間を結ぶ空気路とするものである。また、かかる空気路を塗布部の周囲に形成される通常の本体の空気路口と連通するものである。また第二液保持体の外周面にも隙間を積極的に形成させて、キャップとの隙間を第二液保持体の両端間を結ぶ空気路とし、キャップで塗布部を被装した状態で、かかる空気路を上述の本体の空気路口と連通しうるものである。尚、積極的な隙間は、本体内壁面或いはキャップ内壁面にリブ、溝条部等を設けることによって形成できるが、その他の方法によって積極的に隙間を形成してもよい。
【００１１】
また、キャップの被装時に第二液保持体から第一液保持体に塗布液をより速やかに移行させるには、上記塗布芯、第一液保持体、及び第二液保持体の毛細管力の大きさが、第二液保持体≦第一液保持体＜塗布芯の関係を満たしていることが望ましい。これは、上記各空気路の構造と相まって、キャップ内の液保持体（中綿等）から本体の液保持体（中綿等）への塗布液の移行を十分且つ確実にする。
【００１２】
また、ペン型塗布具にあっては、製品が新品の場合、その塗布時に被塗布面への塗布液流量は多く、使うに従って本体内の第一液保持体の塗布液が減少し、この減少と共に、塗布流量が少なくなってくる。このため、初期の塗布流量が多いと皮膚表面の皺などににじみを発生させる化粧品の塗布具にあっては初期流量を抑えることが望まれるが、このような塗布具にあっては第一液保持体の塗布液の減少により、塗布性が低下しキャップを外したときにすぐに塗布芯を乾燥させてしまう。また、長距離筆記を可能とするためには、第一液保持体の塗布液の保持量が多いほど良いが、柱状の第一液保持体を長くして塗布液の保持量を多くすると、塗布流量が変動しやすく安定しなくなる。このため用途などに適合した第一液保持体の長さが望まれる。
また塗布流量は第一液保持体に保持されている塗布液の保持量によって決まり、本体内第一液保持体の塗布液の保持量が多いと筆記距離が長くできる一方、本体内の第一液保持体の長さを短くして保持量を抑えておくと筆記時のインク流量の変動を少なくすることができる。
【００１３】
本発明のペン型塗布具にあっては、上記第一液保持体及び第二液保持体における塗布液の保持量が第一液保持体＜第二液保持体の関係を満たすことが望ましい。上述したように本体内の第一液保持体の毛細管力をキャップ内の第二液保持体のものと同等以上として塗布芯に対して毛細管力を弱めることと相まって、保管時におけるキャップ内の第二液保持体の塗布液は本体内の第一液保持体にスムースに供給される。そして、本発明にあっては、第一液保持体の長さ（保持量）を適宜に選択できることから、長距離筆記或いは安定筆記が出来るような十分な選択が可能となると共に、略新品と同様な安定使用が長期に渡ってできる。
【００１４】
本発明に係るペン塗布具にあって上記塗布液は顔料分散液である場合、本体の軸方向に並べた第二液保持体から最も離れた第一液保持体の端部と、第一液保持部から最も離れた第二液保持体の端部との間の略中間部に、塗布芯の先端が位置することが望ましい。
顔料分散液は長期間放置すると重力による沈降分離が発生しやすく、この現象により筆記具の保管時にペン先を上向き、或いは下向きにすることによって、筆記時に描線色に濃淡が生じる。このため、従来、顔料分散液から粗大顔料を遠心分離、及びろ過などにより除去して上記問題を解決している。
しかしながら、本発明に係るペン型塗布具を上述した構成とすれば、ペン先は塗布液が貯留する保持体の軸方向の略中間に位置するため、保管時に筆記具のペン先が上向きであっても下向きであっても描線色に濃淡を生じさせない。従って、顔料分散液から粗大顔料粒子を遠心分離、濾過などにより除去する必要もない。
【００１５】
【発明の実施の形態】
以下、添付図面を参照して、本発明に係るペン型塗布具の実施形態を詳述する。尚、本発明に係るペン型塗布具は以下の実施形態に限られるものではない。
図１は、本発明に係るペン型塗布具の実施態様である筆記具の縦断面図である。図２は、本発明に係るペン型塗布具の別の実施態様である筆記具の縦断面図である。図３は、本発明に係るペン型塗布具の別の実施態様であり、第二保持体の塗布液の保持量を十分に高めた筆記具の縦断面図である。図４は、本発明に係るペン型塗布具の別の実施態様であり、ペン先を所定位置に配した筆記具の縦断面図である。
【００１６】
図１に示すように、本実施態様の筆記具１は本体２とキャップ３とからなる。本体２の先端部２ａにはキャップ３が着脱可能に嵌装され、キャップ３内には第二保持体４（以下、第二中綿という。）が収容されている。第二中綿４は塗布液（以下、インクという。）の保持或いは担持が可能な素材からなり、所定の長さでほぼ円柱状に形成されている。第二中綿４を収容するキャップ３の内周壁面には軸方向に向けて複数のリブ５が凸設され、またキャップ３の天壁面にもリブ６が凸設されている。第二中綿４はリブ５及び６により積極的にその外周面４ａ及び天面４ｂがキャップ３壁から離間され、その隙間が空気路７として形成されている。キャップ３内には止めリング材８が設けられ、リング材８は第二中綿４をキャップ３内で固定している。また、第二中綿４を止めているリング材８の端部８ａは軸方向に切り欠きされて、上記空気路７とリング材８内とを連通させている。
【００１７】
一方、筆記具１の本体２は略筒状に形成され、その先端部２ａにはペン芯９が設けられている。ペン芯９はインクの誘導可能なインク誘導芯で形成され、塗布部９ａ（以下、筆記部という。）が本体２の先端から突き出させてある。また、本体２の先端部から中央部にかけての内周壁面には複数のリブ１０が形成され、先端部のリブ１０でペン芯９が支持されている。このため、複数のリブ１０によってペン芯の周囲には空気路が形成され、これらの空気路は本体２の先端部２ａに形成された空気路口１１に通じている。
【００１８】
ペン芯９はその先端部が上述の筆記部９ａであり、筆記部９ａはキャップ３の被装時に第二中綿４の基端４ｃに突き刺す状態で第一中綿４に接触している。
本体２の中央部には第一中綿１２が収容されている。第一中綿１２はインクの保持或いは担持が可能な素材からなり、所定の長さでほぼ円柱状に形成されている。第一中綿４を収容する本体での中央部の内周壁面には軸方向に向けて上述した複数のリブ１０が延長して凸設されている。第一中綿１２はリブ１０により積極的にその外周面１２ａが本体２壁から離間され、その隙間が本体２内の空気路１３として形成されている。ペン芯９はその基端部９ｃが第一中綿１２の端面１２ｂに突き刺さる状態で第二中綿１２に接触している。
本体２の基端部には冠着体１４が装着され、冠着体１４は第一中綿１２を本体２内で固定させている。
【００１９】
従って、筆記具１にあっては、リブ１０を介して第一中綿１２の外周面１２ａに隙間を積極的に形成させている。そして、このような本体２との隙間が第一中綿１２の両端１２ｂ、１２ｃ間を結ぶ空気路１３となり、空気路１３がペン芯９の筆記部９ａの周囲に形成される空気路口１１と連通する。
また第二中綿４の外周面４ａ及び天端面４ｂに隙間を積極的に形成させている。そして、このようなキャップ３との隙間が第二中綿４の両端４ｂ、４ｃ間を結ぶ空気路７となり、キャップ３でペン芯９を被装した状態にあっては、空気路７がリング材８の切り欠きを介して本体２の空気路口１１と通じ、更には本体２内の第一中綿４の空気路１３とも連通することとなる。
【００２０】
このような筆記具１にあっては、使用によりペン芯９及び第一中綿１２のインクが減少した場合、本体２の先端部２ａにキャップ３を被装すると、ペン芯９の毛細管力によりキャップ３の第二中綿４に貯留されたインクがペン芯９及び第一中綿１２に引き込まれて供給される。この場合、キャップ３内の第二中綿４のペン芯９の筆記部９ａ近傍のインクがペン芯９及び本体内の第一中綿１２に移動すると、本体２の空気路１３とキャップ３の空気路７とが連通状態にあるため、キャップ３内の第二中綿４の天端面４ｂにまで空気の供給が可能となるから、第二中綿４の天端面４ｂでのインクと空気の置換が容易にできる。このため、インクは第二中綿４から連続的にペン芯９及び本体２内の第一中綿１２側に移動することができる。
【００２１】
また上記ペン芯９、第一中綿１２、及び第二中綿４の毛細管力の大きさが、第二中綿≦第一中綿＜ペン芯の関係を満たすようにすると、上記効果を更に高め且つ確実にすることができる。
このため、筆記時に筆記面へのインク量は長距離の筆記、即ち、筆記初期から筆記終了するまで長時間の使用しても、その後、キャップ３を被装して保管後、更に、使用を開始しても、筆記面へのインク流量が減少することがない。
また上記筆記具１を化粧品のようにインクをマスカラ液等の塗布液に変えて初期の流量を抑えたとしても、長期間の繰返し使用にあっても塗布流量を一定にすることで、また塗布流量の減少が見られないため、キャップ３をはずした場合でも、ペン芯９が乾燥しやすくなることはない。
このため、長時間の安定した筆記或いは塗布、及び長期間に渡る安定した使用効果が得られる。
【００２２】
図２は、本発明に係る筆記具の別の実施形態を示す縦断面図である。図２に示す筆記具１５は、図１で示した筆記具１と略同様な構成となっており、また、同様又は類似の部材が使用されている。このため、類似の構造及び部材については、図１と同様な符号を付してその詳しい説明を省略する。
図２に示す筆記具１５は、キャップ２１が筒状に形成され、その天端部に天冠部材２２がシール性を有するように取り付けられている。
このような構成にある筆記具１５にあっては、上記効果を奏する他に、先ず、天冠部材２２なしで他の部材及び部品を組立てて、その後に、キャップ２１の上部からインクを充填することができる。この場合、充填時にインクが直接ペン芯９や本体２内の第一中綿１２に浸透し、一回の充填でキャップ２１内の第二中綿４と本体２内の第一中綿１２にインクを充填することが出来る。
【００２３】
図３は、本発明に係る筆記具の別の実施形態を示す縦断面図である。図３に示す筆記具３１は、図２で示した筆記具１５と略同様な構成となっており、また、同様又は類似の部材が使用されている。このため、類似の構造及び部材については、図２と同様な符号を付してその詳しい説明を省略する。
図３に示す筆記具３１は、第一中綿３２と第二中綿３３との径は同じに形成され、第一中綿３２及び第二中綿３３の体積に対するインク保持能力は同一であるが、第一中綿３２の長さｌ１と第二中綿３３の長さｌ２は相違している。本実施態様では、第一中綿３２と第二中綿３３の長さの比率（ｌ１／ｌ２）は１／３である。従って、第一中綿３２及び第二中綿３３におけるインクの保持量は第一中綿＜第二中綿の関係を満たしている。
【００２４】
上述したように筆記具３１では、本体２内の第一中綿３２の毛細管力をキャップ２１内の第二中綿３３と同等以上とし、ペン芯９に対して毛細管力を弱く設定し、かつ本体２内の第一中綿３２のインク保持量を所定長さに設定し、キャップ２１内の第二中綿３３のものより短い。
この場合、保管時におけるキャップ２１内の第二中綿３３のインクが本体２内の第一中綿３２に供給され、略新品時のインクの筆記インク流量が長期間に渡って得られる。また、筆記インク流量は第一中綿３２に充填或いは保持されている保持量によって決まり、本体２内の第一中綿３２の保持量が多いと筆記距離が長くできる一方、本体２内の第一中綿３２の長さを短くして保持量を抑えておくと筆記時のインク流量の変動を少なくすることができる。筆記具３０にあっては、第一中綿３２の長さを適宜に選択できることから、長距離筆記或いは安定筆記が出来るような十分な選択が可能となる。
尚、本実施形態では、第一中綿３２と第二中綿３３の長さの比率（ｌ１／ｌ２）を１／３としたが、上記効果を奏するには、その比率（ｌ１／ｌ２）は、１／１以下であることが望ましい。
【００２５】
図４は、本発明に係る筆記具の別の実施形態を示す縦断面図である。図４に示す筆記具４０は、図１で示した筆記具１と略同様な構成となっており、また、同様又は類似の部材が使用されている。このため、類似の構造及び部材については、図１と同様な符号を付してその詳しい説明を省略する。
図４に示す筆記具４０は、筆記部９ａの先端Ａから第一中綿１２の基端面１２ｃまでの距離Ｌ１と、先端Ａから第二中綿４の天端面４ｂまでの距離Ｌ２との距離が略同尺、具体的には、Ｌ１／Ｌ２の値が４／５乃至６／５の範囲、特に、９／１０乃至１１／１０の範囲に収まるように設計されている。
また、第一中綿１２及び第二中綿４に保持されるインクには、顔料分散液が使用されている。
【００２６】
このような構成にある筆記具４０にあっては、筆記部９ａの先端Ａが第一中綿１２及び第二中綿４の軸方向における合計長さの略中間部に位置するため、以下の効果がある。
即ち、顔料分散液であるインクが長期間放置より沈降分離を発生する。しかし、筆記具４０にあっては、ペン芯９の筆記部９ａ、或いは先端Ａが筆記具４０の略中間に位置し、筆記具４０が転倒してあっても、天地を逆に倒立配置して店内などに保管してあっても、筆記時に描線色が濃くなったり、薄くなったりすることがない。
このため、従来のように不具合を避けるために粗大顔料粒子を遠心分離、濾過などによりインク内から除去する必要もない。
【００２７】
尚、上記各実施態様では筆記具について説明したが、これに限るのではなく、化粧品のペン型塗布具として使用しても、上記各効果を十分に奏するものである。
【００２８】
【発明の効果】
以上、説明したように本発明に係るペン型塗布具によれば、第一液保持体の外周面に隙間を積極的に形成させ、本体との隙間を第一液保持体の両端間を結ぶ空気路とし、かかる空気路を塗布芯の筆記部の周囲に形成される通常の空気路口と連通させ、また第二液保持体の外周面にも隙間を積極的に形成させて、キャップとの隙間を第二液保持体の両端間を結ぶ空気路とし、キャップで塗布芯を被装した状態で、かかる空気路を上述の本体の空気路口と連通しているので、キャップのキャップ内液保持体から本体の液保持体への塗布液の移行を十分にできるようにして、長時間の安定した筆記或いは塗布、及び長期間に渡る安定した使用ができる。
【図面の簡単な説明】
【図１】図１は、本発明に係るペン型塗布具の実施態様である筆記具の縦断面図である。
【図２】図２は、本発明に係るペン型塗布具の別の実施態様である筆記具の縦断面図である。
【図３】図３は、本発明に係るペン型塗布具の別の実施態様であり、第二保持体の塗布液の保持量を十分に高めた筆記具の縦断面図である。
【図４】図４は、本発明に係るペン型塗布具の別の実施態様であり、ペン先を所定位置に配した筆記具の縦断面図である。
【符号の説明】
１　　　　　　　　筆記具
２　　　　　　　　筆記具の本体
３　　　　　　　　キャップ
４　　　　　　　　第二中綿（第二液保持体）
５　　　　　　　　リブ
６　　　　　　　　リブ
７　　　　　　　　空気路
８　　　　　　　　リング材
９　　　　　　　　ペン芯
１０　　　　　　　リブ
１１　　　　　　　本体の空気路口
１２　　　　　　　第一中綿（第一液保持体）
１３　　　　　　　空気路
【図１】
2004009381.tif 000003
【図２】
2004009381.tif 000004
【図３】
2004009381.tif 000005
【図４】
2004009381.tif 000006